(57)【特許請求の範囲】
【請求項１】
複数の二次電池(6)又はスーパーキャパシタを直線状に接続してなる複数本の電源モジュール(1)と、この電源モジュール(1)を内部に複数の列に平行に並べて収納しており、かつ、内部を通過する空気で電源モジュール(1)を冷却するホルダーケース(2)と、ホルダーケース(2)に空気を強制的に供給または吸引して送風するファン(9)とを備え、
ホルダーケース(2)は両面に対向して、第１表面プレート(2a)と第２表面プレート(2b)を有する箱形で、第１表面プレート(2a)と第２表面プレート(2b)の表面に沿って、複数の電源モジュール(1)を同一平面に平行に横に並べて配設しており、
さらに、ホルダーケース(2)は、横に並べて収納している複数列の電源モジュール(1)の間に隔壁(3)を設けて、隔壁(3)を第１表面プレート(2a)から第２表面プレート(2b)まで延長して、内部を複数列の区画室(4)に区画し、各々の列の区画室(4)に１列の電源モジュール(1)を独立して配設しており、
さらに、ホルダーケース(2)は、第１表面プレート(2a)を貫通して、複数列の区画室(4)の送風冷却ダクト(17)に分流して空気を流入させる流入口(13)を開口しており、かつ、第２表面プレート(2b)を貫通して、複数列の区画室(4)の送風冷却ダクト(17)を通過した空気を外部に排出する排気口(14)を開口しており、
ファン(9)でもって、第１表面プレート(2a)の流入口(13)から複数列の区画室(4)に分流して空気を流入して、送風冷却ダクト(17)に空気を通過させて各々の区画室(4)に独立して配設された一列の電源モジュール(1)を冷却し、冷却した空気を第２表面プレート(2b)の排気口(14)から排気して、複数列の区画室(4)に独立して収納している電源モジュール(1)を冷却するようにしてなる電源装置。
【請求項２】
第１表面プレート(2a)の表面に空気の流入ダクト(15)を設けている請求項１に記載の電源装置。
【請求項３】
第１表面プレート(2a)に開口している流入口(13)が、流入ダクト(15)の上流側を下流側よりも小さくしている請求項２に記載の電源装置。
【請求項４】
２段のホルダーケース(2)を、流入ダクト(15)を介して互いに対向する姿勢で並列に配設している請求項２に記載の電源装置。
【請求項５】
第２表面プレート(2b)の表面に空気の排出ダクト(16)を設けている請求項１に記載の電源装置。
【請求項６】
第２表面プレート(2b)に開口している排気口(14)が、排出ダクト(16)の上流側を下流側よりも大きくしている請求項５に記載の電源装置。
【請求項７】
２段のホルダーケース(2)を、排出ダクト(16)を介して互いに対向する姿勢で並列に配設している請求項５に記載の電源装置。
【請求項８】
流入口(13)と排気口(14)が、電源モジュール(1)の縦方向に延長しているスリットである請求項１に記載の電源装置。
【請求項９】
電源モジュール(1)が円筒型で、この電源モジュール(1)を内蔵している区画室(4)が、内側の横断面形状を８角形以上の多角形とし、あるいは円形ないし楕円形として、電源モジュール表面と区画室(4)の内面との間に送風冷却ダクト(17)を設けており、この送風冷却ダクト(17)でもって、区画室(4)に送風される空気を電源モジュール(1)の表面に沿って流動させる請求項１に記載される電源装置。
【請求項１０】
送風冷却ダクト(17)の間隔が、電源モジュール(1)の全周において一定である請求項９に記載される電源装置。
【請求項１１】
第１表面プレート(2a)と第２表面プレート(2b)が、区画室(4)の内面に突出して、電源モジュール(1)を保持する保持凸部(10)を一体成形して設けており、この保持凸部(10)の先端を電源モジュール(1)の表面に当接して、電源モジュール(1)を区画室(4)内に保持している請求項１に記載される電源装置。
【請求項１２】
電源モジュール(1)が円柱状で、電源モジュール(1)を区画室(4)の中心に配設している請求項１に記載される電源装置。
【発明の詳細な説明】
【０００１】
【発明の属する技術分野】
本発明は、主として、ハイブリッド自動車や電気自動車等の自動車を駆動するモーターの電源用に使用される大電流用の電源装置に関する。
【０００２】
【従来の技術】
自動車を走行させるモーターを駆動する電源に使用される大電流、大出力用の電源装置は、複数の電池を直列に連結した電源モジュールをさらに直列に接続して出力電圧を高くしている。駆動モーターの出力を大きくするためである。この種の用途に使用される電源装置は、極めて大きな電流が流れる。たとえば、ハイブリッド自動車等では、スタートするときや加速するときに、電池の出力で自動車を加速するので、１００Ａ以上と極めて大きな電流が流れる。さらに、短時間で急速に充電するときにも大きな電流が流れる。
【０００３】
大電流を流して使用される電源装置は、電池の温度が上昇したときに、強制的に冷却する必要がある。とくに、多数の電源モジュールを、縦横の行と列に並べてホルダーケースに入れている電源装置は、各々の電源モジュールを均等に冷却することが大切である。冷却される電池の温度にむらができると、温度が高くなる電池の性能が低下するからである。
【０００４】
ホルダーケースに複数の電源モジュールを収納して、各々の電源モジュールをより均等に冷却する構造は、たとえば、特開平１０−２７００９５号公報と特開平１１−３２９５１８号公報に記載される。前者の公報に記載される電源装置は、図１の断面図に示すように、ホルダーケース２２の下部を空気の流入口２３として上部を排出口２４とし、下部の流入口２３から上部の排出口２４に空気を流動させて、内部に収納している電源モジュール２１を冷却する。ホルダーケース２２の内部には、電源モジュール２１の表面に流す空気の流速を調整するための冷却調整フィン２５を配設している。
【０００５】
この構造のホルダーケース２２は、上部に配設される電源モジュール２１の表面を流れる空気の流速を、下部の電源モジュール２１の表面を流れる空気の流速よりも速くしている。上部と下部の電源モジュール２１の表面を流れる空気の流速を同じにすると、下部の電源モジュール２１の表面を通過する空気温度が低いために、下部の電源モジュール２１が上部よりも効果的に冷却されて、上部と下部で電源モジュール２１に温度差ができるからである。
【０００６】
冷却調整フィン２５は、上部の電源モジュール２１の表面の空気の流速を下部よりも速くするために、冷却調整フィン２５と電源モジュール２１との間の空気の流動隙間を、上方に向かって次第に狭くしている。流動隙間が狭くなると、空気の流速は速くなるからである。
【０００７】
【発明が解決しようとする課題】
この構造の電源装置は、下部の電源モジュールを冷たい空気で冷却し、上部の電源モジュールを速い流速で冷却して、上下の電源モジュールをより均一な環境で冷却する。しかしながら、この構造では、上下の電源モジュールを均一な条件で冷却するのが極めて難しい。それは、下部の電源モジュールを冷却する空気温度が低く、上部の電源モジュールを冷却する空気温度が高くなるからである。高温の空気で冷却される上部の電源モジュールは、表面を流れる空気の流速を速くしても、下部の電源モジュールと同じように効率よく冷却するのが難しい。このため、空気の流入口の近傍に配設される電源モジュールは効率よく冷却されるが、空気の排出口の近傍に配設される電源モジュールを効率よく冷却するのが難しく、ホルダーケースに収納している電源モジュールに温度差ができる欠点がある。排出口の近傍にあって、効率よく冷却するのが極めて難しい電源モジュールは、高温になって劣化しやすい弊害がある。
【０００８】
さらに、後者の公報に記載される電源装置は、図２の断面図に示すように、ホルダーケース２２の途中から冷却用の空気を流入させる。ホルダーケース２２の途中に流入される空気は、空気の出口近傍に冷たい空気を供給して、ホルダーケース２２の内部温度を均一にする。この構造は、ホルダーケース内部の温度差を少なくできるが、途中から吸入される空気によって、ホルダーケース内を流動する空気の流速が低下してしまう。電源モジュール２１を効率よく冷却するためには、冷却する空気の温度を低くすることも大切であるが、電源モジュール２１の表面を流動する空気の流速を速くすることも大切である。空気温度が低下しても、流速が遅くなると電源モジュール表面に直接に接触している部分の空気の温度が高くなる。電源モジュール２１は、表面に直接に接触している空気で冷却されるので、この部分の空気温度が高くなると、効率よく冷却できなくなる。
【０００９】
本発明は、このような従来の電源装置の欠点を解決することを目的に開発されたものである。本発明の重要な目的は、ホルダーケースに収納している複数の電源モジュール全体をより均一に冷却して、温度差に起因する電池性能の低下を有効に防止できる電源装置を提供することにある。
【００１０】
【課題を解決するための手段】
本発明の電源装置は、複数の二次電池６又はスーパーキャパシタを直線状に接続してなる複数本の電源モジュール１と、この電源モジュール１を内部に複数の列に平行に並べて収納して、かつ、内部を通過する空気で電源モジュール１を冷却するホルダーケース２と、ホルダーケース２に空気を強制的に供給または吸引して送風するファン９とを備える。ホルダーケース２は、両面に対向して、第１表面プレート２ａと第２表面プレート２ｂを有する箱形で、第１表面プレート２ａと第２表面プレート２ｂの表面に沿って、複数の電源モジュール１を同一平面に平行に横に並べて配設している。さらに、ホルダーケース２は、横に並べて収納している複数列の電源モジュール１の間に隔壁３を設けて、隔壁３を第１表面プレート２ａから第２表面プレート２ｂまで延長して、内部を複数列の区画室４に区画している。各々の列の区画室４には、１列の電源モジュール１を独立して配設している。さらに、ホルダーケース２は、第１表面プレート２ａを貫通して、複数列の区画室４の送風冷却ダクト１７に分流して空気を流入させる流入口１３を開口しており、かつ、第２表面プレート２ｂを貫通して、複数列の区画室４の送風冷却ダクト１７を通過した空気を外部に排出する排気口１４を開口している。電源装置は、ファン９でもって、第１表面プレート２ａの流入口１３から複数列の区画室４に分流して空気を流入させて、送風冷却ダクト１７に空気を通過させて各々の区画室４に独立して配設された一列の電源モジュール１を冷却し、冷却した空気を第２表面プレート２ｂの排気口１４から排気して、複数列の区画室４に独立して収納している電源モジュール１を冷却している。
【００１１】
本発明の電源装置は、第１表面プレート２ａの表面に、空気の流入ダクト１５を設けることができる。この電源装置は、流入ダクト１５から流入口１３に空気を通過させて区画室４に空気を流入できる。さらに、第１表面プレート２ａに開口している流入口１３は、流入ダクト１５の上流側を下流側よりも小さくすることができる。この構造の電源装置は、全ての区画室４に均一に冷却空気を供給できる。さらに、電源装置は、２段のホルダーケース２を、流入ダクト１５を介して互いに対向する姿勢で並列に配設することもできる。
【００１２】
さらに、本発明の電源装置は、第２表面プレート２ｂの表面に、空気の排出ダクト１６を設けることもできる。この電源装置は、各々の区画室４を通過して排気口１４から排出される空気を、排気ダクト１６で一緒にして排気する。さらに、第２表面プレート２ｂに開口している排気口１４は、排出ダクト１６の上流側を下流側よりも大きくすることができる。この構造の電源装置は、全ての区画室４に均一に冷却空気を供給できる。さらに、電源装置は、２段のホルダーケース２を、排出ダクト１６を介して互いに対向する姿勢で並列に配設することもできる。
【００１３】
さらに、本発明の電源装置は、流入口１３と排気口１４を、電源モジュール１の縦方向に延長しているスリットとすることができる。
【００１４】
さらに、本発明の電源装置は、電源モジュール１を円筒型とすると共に、この電源モジュール１を内蔵している区画室４の内側の横断面形状を８角形以上の多角形とし、あるいは円形ないし楕円形とすることができる。この電源装置は、電源モジュール表面と区画室４の内面との間に送風冷却ダクト１７を設けており、この送風冷却ダクト１７でもって、区画室４に送風される空気を電源モジュール１の表面に沿って流動させる。
【００１５】
さらに、本発明の電源装置は、送風冷却ダクト１７の間隔を、電源モジュール１の全周において一定とすることができる。
【００１６】
さらに、本発明の電源装置は、第１表面プレート２ａと第２表面プレート２ｂに、区画室４の内面に突出して、電源モジュール１を保持する保持凸部１０を一体成形して設けることができる。この電源装置は、この保持凸部１０の先端を電源モジュール１の表面に当接させて、電源モジュール１を区画室４内に保持できる。
【００１７】
さらにまた、本発明の電源装置は、電源モジュール１を円柱状として、この電源モジュール１を区画室４の中心に配設することができる。
【００１８】
【発明の実施の形態】
以下、本発明の実施例を図面に基づいて説明する。ただし、以下に示す実施例は、本発明の技術思想を具体化するための電源装置を例示するものであって、本発明は電源装置を以下のものに特定しない。
【００１９】
さらに、この明細書は、特許請求の範囲を理解しやすいように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００２０】
図３と図４に示す電源装置は、複数本の電源モジュール１と、この電源モジュール１を内蔵しているホルダーケース２と、ホルダーケース２の電源モジュール１を冷却するファン９とを備える。ホルダーケース２は、電源モジュール１を内部に複数の列に平行に並べて収納しており、内部を通過する空気で電源モジュール１を冷却するようにしている。
【００２１】
電源モジュール１は、複数の二次電池、あるいは静電容量の大きなスーパーキャパシタを直線状に接続したもので、電源モジュール１は、たとえば、６本の二次電池６を、直線状に直列に連結している。スーパーキャパシタを使用する電源モジュールは、複数のスーパーキャパシタを並列または直列に接続している。ただし、電源モジュールは、１本の二次電池やスーパーキャパシタで構成することもできる。図５に示す電源モジュール１は、円筒型の二次電池６を皿状接続体７で直線状に連結している。電源モジュール１の両端には、正極端子５Ａと負極端子５Ｂからなる電極端子５を連結している。
【００２２】
皿状接続体７が二次電池６を直線状に連結する構造を、図５と図６に示している。この構造の電源モジュール１は、皿状接続体７の円盤部７Ａを、円筒型の二次電池６の正極に溶接して接続している。皿状接続体７の円盤部７Ａは、二次電池６の正極に溶接するプロジェクション７ａを設けている。皿状接続体７のプロジェクション７ａが正極に溶接されるとき、プロジェクション７ａの上面に溶接用電極棒が押圧される。皿状接続体７と二次電池６とのショートを阻止するために、皿状接続体７と二次電池６との間に、リング状に絶縁体８が挟着される。
【００２３】
さらに、皿状接続体７は、フランジ部７Ｂの内側に二次電池６を挿入して、フランジ部７Ｂを二次電池６の負極である外装缶６Ａに溶接する。フランジ部７Ｂも、円盤部７Ａと同じように、内面に設けたプロジェクション７ａを外装缶６Ａに溶接する。このとき、フランジ部７Ｂには、プロジェクション７ａの外側に溶接用電極棒が押圧される。
【００２４】
直列に連結される二次電池は、図示しないが、皿状接続体を使用することなく、Ｕ曲したリード板の対向面を互いに溶接して連結することもできる。この電源モジュールは、二次電池を放電させる方向に、大電流をパルス通電して、Ｕ曲したリード板の対向面を溶着する。さらに、電源モジュールは、二次電池の＋−の電極の間に金属板を挟着する状態で、二次電池を放電させる方向に大電流パルス通電処理をして、金属板を二次電池の電極に溶着することもできる。
【００２５】
さらにまた、二次電池の間に金属板を挟着することなく、二次電池の＋−の電極を直接に溶着することもできる。この二次電池は、正極端子である封口板の上部表面に円錐状の突起を設け、この突起を隣接する二次電池の負極端子に大電流パルス通電して溶接する。
【００２６】
複数の二次電池６が互いに直列に連結された電源モジュール１は、二次電池６の正極側には正極端子５Ａを接続し、負極側には負極端子５Ｂを接続する。
【００２７】
電源モジュール１の二次電池６は、ニッケル−水素電池である。ただ、電源モジュール１の二次電池６は、ニッケル−カドミウム電池やリチウムイオン二次電池等を使用することもできる。
【００２８】
電源モジュールは、図示しないが、各二次電池の表面に温度センサーを固定している。温度センサーは、電池温度を検出できる素子である。この温度センサーには、好ましくは、電池温度で電気抵抗が変化するにＰＴＣが使用される。各二次電池の表面に固定される温度センサーは、センサーリードを介して直列に、直線状に連結されて、電源モジュールの表面に縦方向に延長して固定される。温度センサーとセンサーリードは、接着して二次電池の表面に固定され、あるいは、二次電池の表面を熱収縮チューブ等で被覆する構造にあっては、熱収縮チューブで固定することもできる。ただ、本発明の電源装置は、区画室４に１列の電源モジュール１を収納しているので、電源モジュール１を隣のものと絶縁する必要がない。このため、電源モジュール１は、必ずしも熱収縮チューブ等で被覆して絶縁する必要はない。
【００２９】
ホルダーケース２は、図３と図４に示すように、両面に対向して、第１表面プレート２ａと第２表面プレート２ｂを有する箱形で、第１表面プレート２ａと第２表面プレート２ｂと平行な面内に、複数列に電源モジュール１を同一平面に横に平行に並べて配設している。
【００３０】
ホルダーケース２は、上下の蓋ケースを備え、蓋ケースは、第１表面プレート２ａを一体成形している第１蓋ケース２Ａａと、第２表面プレート２ｂを一体成形している第２蓋ケース２Ａｂとを備える。蓋ケースは、全体をプラスチックで成形しており、これ等を組み立ててホルダーケース２としている。
【００３１】
さらに、ホルダーケース２は、図３と図４に示すように、横に並べて収納している電源モジュール１の間に隔壁３を設けている。隔壁３は、第１蓋ケース２Ａａと第２蓋ケース２Ａｂに一体成形して設けられて、第１表面プレート２ａから第２表面プレート２ｂまで延長されて、第１表面プレート２ａと第２表面プレート２ｂの内部を複数の区画室４に区画している。第１蓋ケース２Ａａと第２蓋ケース２Ａｂに一体成形している隔壁３は、その境界を隙間なく当接させて、空気が流通しない区画室４に区画している。
【００３２】
各々の区画室４には、電源モジュール１が配設される。図のホルダーケース２は、各々の区画室４に１列の電源モジュール１を収納している。電源モジュール１を区画室４の定位置に配設するために、図７に示すように、区画室４の内面に突出して、保持凸部１０を設けている。保持凸部１０は、プラスチック製の第１表面プレート２ａと第２表面プレート２ｂに一体成形して設けられ、両方の保持凸部１０で電源モジュール１を挟着して定位置に保持する。電源モジュール１は、区画室４の内面との間に、空気を通過できる隙間ができるように、保持凸部１０で保持される。図の保持凸部１０は、リブの形状として設けられて、電源モジュール１に対して横方向に延長して設けられる。
【００３３】
ホルダーケース２は、各々の区画室４に分流された冷却空気を通過させる。このことを実現するために、図３と図４ホルダーケース２は、第１表面プレート２ａを貫通して、各々の区画室４に分流して空気を流入させる流入口１３を開口しており、第２表面プレート２ｂを貫通して、各々の区画室４の空気を外部に排出する排気口１４を開口している。
【００３４】
この図のホルダーケース２は、隣接して並べている電源モジュール１の間の谷間を溝形に成形して、区画室４の内側における横断面の形状を８角形としている。この区画室４は、横断面図の形状を方形状とする区画室に比較して、区画室４の内面を電源モジュール１の表面に沿わせる形状に接近できる。区画室４は、内面と電源モジュール１との間に空気を送風して電源モジュール１を冷却する送風冷却ダクト１７が設けられるが、内側の横断面形状を８角形とする区画室４は、横断面形状を方形状とする区画室に比較して、送風冷却ダクト１７の間隔を均一にできる特長がある。
【００３５】
さらに、円筒形の電源モジュール１を内蔵する区画室４は、図８に示すように、内側の横断面形状を円形にして、すなわち、区画室４を円柱状として、区画室４の内面と電源モジュール１との間の送風冷却ダクト１７をさらに均一な厚さにできる。また、区画室は、内側の断面形状を楕円形として円筒状の電源モジュールを内蔵することもできる。
【００３６】
図３と図４のホルダーケース２は、区画室４の中央部分に位置するように、隔壁３と隔壁３の間の中央部分にスリット状の流入口１３と排気口１４を開口している。ホルダーケース２は、第１表面プレート２ａに流入口１３を開口し、第２表面プレート２ｂに排気口１４を開口している。スリット状の流入口１３と排気口１４は、電源モジュール１の縦方向に延長して開口される。この形状のホルダーケース２は、電源モジュール１の表面に沿って、冷却空気を速やかに流動させて、効率よく冷却できる特長がある。
【００３７】
図３の電源装置は、第１表面プレート２ａの表面に空気の流入ダクト１５を設けている。流入ダクト１５はファン９に連結され、ファン９は流入ダクト１５に冷却空気を強制的に供給する。流入ダクト１５の冷却空気は、各々の流入口１３に分流されて、各々の区画室４に流入される。全ての区画室４に均一に冷却空気を通過させるために、図の装置は、流入ダクト１５の上流側の流入口１３を、下流側の流入口１３よりも小さくしている。流入ダクト１５の上流側は、ファン９から供給される冷却空気の圧力が高いので、小さい流入口１３から多量の空気が供給される。流入ダクト１５の下流側においては、冷却空気の圧力が低くなるので、流入口１３を大きくして区画室４に供給される空気量を多くしている。したがって、この構造の装置は、全ての区画室４に均一に冷却空気を供給できる。
【００３８】
さらに、図４に示す電源装置は、第２表面プレート２ｂの表面に空気の排出ダクト１６を設けている。排出ダクト１６はファン９に連結され、ファン９は排出ダクト１６の冷却空気を強制的に吸引して排気する。排出ダクト１６は、各々の区画室４から排出される空気を一緒にして排気する。各々の区画室４に均一に冷却空気を通過させるために、図の装置は、排出ダクト１６の上流側の排出口１４を、下流側の排出口１４よりも大きくしている。排出ダクト１６の下流側は、ファン９で効率よく冷却空気が吸引されるので、小さい排出口１４から多量の空気が排出される。したがって、この構造の装置は、全ての区画室４に均一に冷却空気を通過できる。
【００３９】
さらに、図９と図１０に示す電源装置は、２段のホルダーケース２を、流入ダクト１５または排出ダクト１６を介して互いに対向する姿勢で並列に配設している。図９の電源装置は、図３に示すように、第１表面プレート２ａの表面側に流入ダクト１５を設けている一対のホルダーケース２を、流入ダクト１５の両面に対向するように配設している。この電源装置は、ファン９から流入ダクト１５に流入される冷却空気を、両面に配設しているホルダーケース２に供給して、ホルダーケース２の各々の区画室４内に１列に配設している電源モジュール１を冷却する。
【００４０】
図１０の電源装置は、図４に示すように、第２表面プレート２ｂの表面側に排出ダクト１６を設けている一対のホルダーケース２を、排出ダクト１６の両面に対向するように配設している。この電源装置は、排出ダクト１６に連結しているファン９でもって、両方のホルダーケース２から強制的に冷却空気を吸入して、両面に配設しているホルダーケース２の各々の区画室４内に１列に配設している電源モジュール１を冷却する。
【００４１】
図３と図４に示す電源装置は、区画室４の内側の横断面形状を８角形として、送風冷却ダクト１７を幅をほぼ均一にしているので、送風冷却ダクト１７に送風する空気の流速をほぼ均一にでき、また、区画室４に空気溜りができるのを防止できる。ただ、本発明の電源装置は、各々の区画室４に１列に電源モジュール１を配設するので、図９と図１０に示すように、区画室４の内側の横断面形状を方形状としても、電源モジュール１を充分に冷却することができる。
【００４２】
【発明の効果】
本発明の電源装置は、ホルダーケースに収納している複数の電源モジュール全体をより均一に冷却して、温度差に起因する電池性能の低下を有効に防止できる特長がある。それは、本発明の電源装置が、両面に対向して第１表面プレートと第２表面プレートを有する箱形のホルダーケースの内部に、複数の電源モジュールを同一平面に平行に横に並べて配設すると共に、ホルダーケースの内部を隔壁で複数列の区画室に区画して、各々の列の区画室に１列の電源モジュールを独立して配設しており、第１表面プレートの流入口から複数列の区画室に分流して流入させた空気を、第２表面プレートの排気口から排気して、複数列の区画室に収納している電源モジュールを冷却しているからである。この構造の電源装置は、各列の区画室に１列の電源モジュールを独立して配設しているので、各電源モジュールは、他の電源モジュールの影響を受けることなく、送風冷却ダクトを通過する冷却空気によって別々に独立して冷却される。さらに、各区画室を通過する冷却空気は、１列の電源モジュールのみを冷却するので、他の電源モジュールによって暖められた空気ではなく、新鮮な空気によって極めて効率よく冷却できる。このように、各電源モジュールを理想の状態で冷却できる電源装置は、複数の電源モジュール全体を、効率よく、しかもより均一に冷却できる。
【図面の簡単な説明】
【図１】  従来の電源装置の断面図
【図２】  従来の他の電源装置の断面図
【図３】  本発明の実施例の電源装置の横断面図
【図４】  本発明の他の実施例の電源装置の横断面図
【図５】  電源装置に内蔵される電源モジュールの側面図
【図６】  図５に示す電源モジュールの分解断面図
【図７】  図４に示す電源装置の縦断面図
【図８】  本発明の他の実施例の電源装置の断面斜視図
【図９】  本発明の他の実施例の電源装置の断面図
【図１０】  本発明の他の実施例の電源装置の断面図
【符号の説明】
１…電源モジュール
２…ホルダーケース    ２Ａａ…第１蓋ケース    ２Ａｂ…第２蓋ケース
２ａ…第１表面プレート  ２ｂ…第２表面プレート
３…隔壁
４…区画室
５…電極端子          ５Ａ…正極端子          ５Ｂ…負極端子
６…二次電池          ６Ａ…外装缶
７…皿状接続体        ７Ａ…円盤部            ７Ｂ…フランジ部
７ａ…プロジェクション
８…絶縁体
９…ファン
１０…保持凸部
１３…流入口
１４…排気口
１５…流入ダクト
１６…排出ダクト
１７…送風冷却ダクト
２１…電源モジュール
２２…ホルダーケース
２３…流入口
２４…排出口
２５…冷却調整フィン
【図１】
0004118014.tif 000002
【図２】
0004118014.tif 000003
【図３】
0004118014.tif 000004
【図４】
0004118014.tif 000005
【図５】
0004118014.tif 000006
【図６】
0004118014.tif 000007
【図７】
0004118014.tif 000008
【図８】
0004118014.tif 000009
【図９】
0004118014.tif 000010
【図１０】
0004118014.tif 000011